(57)【要約】【課題】就寝している人のいびきが発生した際には、速やかにいびきの抑制動作を行うことができると共に、構成を簡素化することができるいびき抑制装置を提供することを課題とする。【解決手段】左右一対の空気袋が内装された枕部１と、夫々の空気袋に連通する一対の空気流路と、夫々の空気流路を介して夫々の空気袋内に給気を行う給気手段２０と、夫々の空気袋内の気圧を検知する気圧センサ１５と、就寝している人のいびきの発生を検知するいびきセンサ８と、いびきセンサ８が就寝している人のいびきの発生を検知した場合、気圧センサ１５の出力に基づいて気圧が高い方の空気袋内に給気が行われるように給気手段２０を駆動させる制御部２とを備える。【選択図】        図１
2005261682.tif 000002
【特許請求の範囲】
【請求項１】
左右一対の空気袋が内装された枕部と、夫々の空気袋に連通する一対の空気流路と、夫々の空気流路を介して夫々の空気袋内に給気を行う給気手段と、夫々の空気袋内の気圧を検知する気圧センサと、就寝している人のいびきの発生を検知するいびきセンサと、いびきセンサが就寝している人のいびきの発生を検知した場合、気圧センサの出力に基づいて気圧が高い方の空気袋内に給気が行われるように給気手段を駆動させる制御部とを備えたことを特徴とするいびき抑制装置。
【請求項２】
前記制御部は、前記いびき抑制装置起動直後に、左右一対の空気袋内に夫々所定量の空気の給気が行われるように給気手段を駆動させることを特徴とする請求項１記載のいびき抑制装置。
【請求項３】
前記気圧センサは、夫々の空気袋内と選択的に連通可能に構成されていることを特徴とする請求項１または請求項２記載のいびき抑制装置。
【請求項４】
前記制御部は、気圧が高い方の空気袋内に追加給気を行った後、所定時間その状態を保持させることを特徴とする請求項１乃至請求項３のいずれか１項に記載のいびき抑制装置。
【請求項５】
前記所定時間経過後は、追加給気を行った空気袋内の空気を排気させることを特徴とする請求項４記載のいびき抑制装置。
【請求項６】
前記制御部は、気圧が高い方の空気袋内に追加給気を行った後に所定時間その状態を保持させている間に、就寝している人のいびきが低減されていることをいびきセンサが検知した場合、追加給気を行った空気袋内の空気を排気させることを特徴とする請求項４または請求項５記載のいびき抑制装置。
【請求項７】
前記制御部は、追加給気を行った空気袋内の空気を排気した後、その空気袋内に給気を行い左右一対の空気袋内の空気の圧力を略同一にすることを特徴とする請求項５または請求項６記載のいびき抑制装置。
【請求項８】
前記制御部は、空気袋内の空気を大気に連通させることにより空気袋内外の気圧差により空気袋内の空気を排気する構成にした場合、排気した空気袋内に再び給気する空気量は前記所定量より少ない空気量とすることを特徴とする請求項２乃至請求項７のいずれか１項に記載のいびき抑制装置。
【発明の詳細な説明】
【技術分野】
【０００１】
本発明は、就寝している人の寝返りを誘発し、就寝している人のいびきの発生を抑制するいびき抑制装置に関する。
【背景技術】
【０００２】
この種装置としては、仰臥する人の頭部に対して左右方向に複数の空気室を有し、仰臥する人の頭の左右に位置する空気室の膨張・収縮を所定時間毎に繰り返すことにより仰臥している人の頭を定期的に左向き、上向き、右向きに傾動させる波動通気枕が知られている（例えば、特許文献１参照）。
【０００３】
また、流体が充填される複数の室に分割されたマットレスの夫々の室に圧力センサ及び流体の供給・排出装置を設け、圧力センサからの信号に基づいてどの室の上に人が仰臥しているかを検知し、人が仰臥していると判断した室の形状を流体の供給・排出装置により変化させることにより仰臥している人の寝返りを誘発させるものが知られている（例えば、特許文献２参照）。
【０００４】
しかしながら、前者の波動通気枕は、仰臥している人の頭の向きに関係なく、仰臥している人の頭の左右に位置する空気室の膨張・収縮を所定時間毎に繰り返すため、例えば、左右両方の空気室を膨張させて、仰臥している人の顔が上に向いている状態でいびきが発生した場合には、左右何れかの空気室を収縮させて仰臥している人の顔を左右何れかの方向に傾動させて横臥姿勢にさせることにより寝返りを誘発させていびき音を低減させるまでには相当な時間を要してしまう。この結果、同室に就寝している他者の睡眠を妨げてしまう欠点がある。  
【０００５】
また、後者のマットレスは、複数の室に分割されたマットレスの夫々の室に圧力センサを配置しているため、コストがアップすると共に、圧力センサの電気的な配線作業が複雑になり構成が複雑化する欠点がある。
【特許文献１】特開平１０−８５１０８号公報
【特許文献２】特開平１１−３４２０４９号公報
【発明の開示】
【発明が解決しようとする課題】
【０００６】
本発明はこのような課題を解決するためになされたものであり、就寝している人のいびきが発生した際には、速やかにいびきの抑制動作を行うことができると共に、構成を簡素化することができるいびき抑制装置を提供することを課題とする。
【課題を解決するための手段】
【０００７】
上記課題を解決するための第１の手段は、左右一対の空気袋が内装された枕部と、夫々の空気袋に連通する一対の空気流路と、夫々の空気流路を介して夫々の空気袋内に給気を行う給気手段と、夫々の空気袋内の気圧を検知する気圧センサと、就寝している人のいびきの発生を検知するいびきセンサと、いびきセンサが就寝している人のいびきの発生を検知した場合、気圧センサの出力に基づいて気圧が高い方の空気袋内に給気が行われるように給気手段を駆動させる制御部とを備えたことを特徴とする。
【０００８】
上記課題を解決するための第１の手段において、前記制御部は、前記いびき抑制装置起動直後に、左右一対の空気袋内に夫々所定量の空気の給気が行われるように給気手段を駆動させることが好ましい。
【０００９】
また、前記気圧センサは、夫々の空気袋内と選択的に連通可能に構成されていることが好ましい。
【００１０】
また、前記制御部は、気圧が高い方の空気袋内に追加給気を行った後、所定時間その状態を保持させることが好ましい。
【００１１】
また、前記所定時間経過後は、追加給気を行った空気袋内の空気を排気させることが好ましい。
【００１２】
また、前記制御部は、気圧が高い方の空気袋内に追加給気を行った後に所定時間その状態を保持させている間に、就寝している人のいびきが低減されていることをいびきセンサが検知した場合、追加給気を行った空気袋内の空気を排気させることが好ましい。
【００１３】
また、前記制御部は、追加給気を行った空気袋内の空気を排気した後、その空気袋内に給気を行い左右一対の空気袋内の空気の圧力を略同一にすることが好ましい。
【００１４】
また、前記制御部は、空気袋内の空気を大気に連通させることにより空気袋内外の気圧差により空気袋内の空気を排気する構成にした場合、排気した空気袋内に再び給気する空気量は前記所定量より少ない空気量とすることが好ましい。
【発明の効果】
【００１５】
本発明の請求項１の構成によれば、いびきセンサにより就寝者のいびき発生が検知されると、左側空気袋と右側空気袋内の気圧を気圧センサにより検知し、気圧の高い方の空気袋、即ち、就寝者の頭部が載っている側の空気袋を膨張させて就寝者に横臥姿勢への寝返りを促していびきを抑制させることができるため、就寝している人のいびきが発生した際には、速やかにいびきの抑制動作を行うことができ、同室に就寝している他者の睡眠を妨げてしまうことを防止することができる等の効果を奏する。
【００１６】
本発明の請求項２の構成によれば、本装置の使用開始後には、左側空気袋と右側空気袋内には夫々所定量の空気が供給されているため、就寝者のいびきが発生した際には就寝者の頭が載っている側の空気袋を速やかに検知することができる等の効果を奏する。
【００１７】
本発明の請求項３の構成によれば、１つの気圧センサを左右の空気袋に交互に連通させることにより、左側空気袋と右側空気袋内の夫々の気圧を検知することができ、気圧センサを共用して構成を簡素化することができる等の効果を奏する。
【００１８】
本発明の請求項４の構成によれば、就寝者の頭が載っていると判断された側の空気袋を膨張させた状態を所定時間保持させることにより、確実に就寝者に横臥姿勢への寝返りを促していびきを低減させることができる等の効果を奏する。
【００１９】
本発明の請求項５の構成によれば、所定時間経過した時には、空気を供給した空気袋内の空気を排気するため、就寝者の睡眠を妨げることを抑制することができる等の効果を奏する。
【００２０】
本発明の請求項６の構成によれば、所定時間経過するまでに就寝している人のいびきが低減されていることをいびきセンサが検知した場合、空気を供給した空気袋内の空気を排気するため、就寝者の睡眠を妨げることを抑制することができる等の効果を奏する。
【００２１】
本発明の請求項７の構成によれば、空気を供給した側の空気袋内の空気を排気した後、
その空気袋内に再び給気を行い左右一対の空気袋内の空気の圧力を略同一にするため、次回のいびき抑制動作を速やかに行うことができる等の効果を奏する。
【００２２】
本発明の請求項８の構成によれば、気圧が高い方の空気袋内の空気を大気に連通させることにより空気袋内外の気圧差により空気袋内の空気を大気中に排気させる構成にした場合には、その空気袋内に再び給気する空気量は初期の給気量より少ない空気量とすることにより、就寝者の頭が載っていない側の空気袋内の気圧が、頭が載っている側の空気袋内の気圧より高くなることによる就寝者の頭位置判定の誤検出を防止することができる等の効果を奏する。
【発明を実施するための最良の形態】
【００２３】
本発明のいびき抑制装置を図１乃至図１４に基づいて以下に詳述する。本発明のいびき抑制装置は、就寝する人が頭Ｈを載置させる枕部１と、就寝している人からいびきが発生した際に、就寝している人の寝返りを誘発させるように枕部１を制御する制御部２とから構成されている（図１参照）。
【００２４】
枕部１内には、左右一対の空気袋、即ち、左側空気袋３と右側空気袋４が配置されている。左側空気袋３と右側空気袋４は、伸縮性を有する下部スポンジ５と上部スポンジ６間に挟まれて枕カバー７により覆われている。左側空気袋３と右側空気袋４より就寝者側の枕カバー７には、就寝している人のいびきの発生を検知するいびきセンサ８が収納されるいびきセンサ収納部９が形成されている。また、枕カバー７には脱着する際に開閉させるファスナー１０が設けられている（図２、図３参照）。
【００２５】
制御部２は、制御回路部１１と制御回路部１１の出力に基づいて駆動する駆動部１２とから構成されている。制御回路部１１は、演算処理等を行うマイコン１３と、いびきセンサ８からの出力を受けていびき発生の有無を判断するいびき検知回路１４と、気圧を検知する気圧センサ１５からの出力を受けて左側空気袋３と右側空気袋４夫々の内圧を検出する圧力検知回路１６と、後述する空気ポンプ２０、給排気切換用三方空気制御弁２１及び左右選択用三方空気制御弁２２を駆動させる駆動回路１７と、使用者が装置の設定操作等を行うために使用する操作部１８と、装置の動作状況を表示する表示部１９とから構成されている。
【００２６】
マイコン１３は、いびき検知回路１４、圧力検知回路１６、駆動回路１７、操作部１８及び表示部１９と夫々電気的に接続されている。また、いびき検知回路１４は枕部１のいびきセンサ８に電気的に接続されている。
【００２７】
駆動部１２は、左側空気袋３あるいは右側空気袋４内に空気を供給する空気供給手段としての空気ポンプ２０と、一方が左側空気袋３あるいは右側空気袋４に連通すると共に、他方が空気ポンプ２０あるいは大気に選択的に連通し、左側空気袋３あるいは右側空気袋４の何れかに対して空気ポンプ２０により給気を行うか、あるいは、左側空気袋３あるいは右側空気袋４の何れかから大気中に排気を行うのかを切換動作する給排気切換用三方空気制御弁２１と、一方が空気ポンプ２０あるいは大気に連通すると共に、他方が左側空気袋３あるいは右側空気袋４の何れかに選択的に連通し、給気あるいは排気を、左側空気袋３あるいは右側空気袋４の何れかに対して行うのかを切換動作する左右選択用三方空気制御弁２２とから構成されている。
【００２８】
空気ポンプ２０と給排気切換用三方空気制御弁２１との間、給排気切換用三方空気制御弁２１と左右選択用三方空気制御弁２２との間、左右選択用三方空気制御弁２２と右側空気袋４との間及び左右選択用三方空気制御弁２２と左側空気袋３との間は、夫々シリコンチューブ等からなる配管２３によって接続されている。また、給排気切換用三方空気制御
弁２１と左右選択用三方空気制御弁２２との間の配管２３には、気圧センサ１５が接続されている。
【００２９】
圧力検知回路１６は気圧センサ１５に電気的に接続されている。駆動回路１７は空気ポンプ２０、給排気切換用三方空気制御弁２１及び左右選択用三方空気制御弁２２に夫々電気的に接続されている（図１参照）。
【００３０】
このように構成されたいびき抑制装置は、運転を開始した直後（図１１参照）、枕部１内の左側空気袋３と右側空気袋４内に予備給気（Ｓ１０）を行う（図４、図１２参照）。予備給気（Ｓ１０）の具体的な処理内容は、給排気切換用三方空気制御弁２１を空気ポンプ２０に接続し（Ｓ１０１）、次いで左右選択用三方空気制御弁２２を左側空気袋３に連通させた後（Ｓ１０２）空気ポンプ２０を作動させて左側空気袋３に給気を行う（Ｓ１０３）。所定の予備給気時間が経過（Ｓ１０４）すれば、空気ポンプ２０を停止させる（Ｓ１０５）。
【００３１】
続いて、左右選択用三方空気制御弁２２を右側空気袋４に連通（Ｓ１０６）させて空気ポンプ２０を作動させて右側空気袋４に給気を行う（Ｓ１０７）。所定の予備給気時間が経過（Ｓ１０８）すれば空気ポンプ２０を停止（Ｓ１０９）させて予備給気が終了する（図５参照）。
【００３２】
予備給気の時間は、使用する空気ポンプ２０、左側空気袋３及び右側空気袋４の性能や仕様に応じて、空気袋上に就寝者の頭Ｈが載ることによって適度な内圧が発生するように、例えば、就寝者の頭Ｈが枕部１の略中央にある場合に、左側空気袋３及び右側空気袋４の内圧が０．５ｋＰａ程度発生するように予め設定しマイコン１３に記憶させておけばよい。
【００３３】
また、就寝者の頭Ｈの位置や頭Ｈの重さ等により、左側空気袋３と右側空気袋４内の気圧が変動するため、空気ポンプ２０から夫々の空気袋内に給気される空気量は変動する虞があるが、本実施の形態では、左側空気袋３及び右側空気袋４内の圧力より充分大きな吐出圧を有する空気ポンプ２０を使用しているため、左側空気袋３及び右側空気袋４内の圧力が変動しても略一定の空気量を夫々の空気袋内に供給することができ、給気時間の制御のみで空気袋内への給気量を制御することができる。
【００３４】
予備給気（Ｓ１０）が終了した後、使用者が操作部１８を介して設定した運転タイマ時間を読み込み、運転タイマをスタートさせる（Ｓ２０）。使用者が運転タイマ時間を設定していない場合は、予めマイコン１３に記憶させている既定値を用いて同様な運転タイマをスタートさせる。
【００３５】
運転タイマがスタートした後は、所定の周期にて運転タイマの終了判定（Ｓ３０）を行い運転タイマが終了するまでの間、いびきセンサ８によりいびき検知（Ｓ４０）を繰り返す。いびきセンサ８がいびきの発生を検知すると、頭位置判定（Ｓ５０）の動作に移行する（図４参照）。
【００３６】
頭位置判定（Ｓ５０）では、まず、左右選択用三方空気制御弁２２を左側空気袋３に連通する状態に切換えて（Ｓ５０１）、左側空気袋３と気圧センサ１５が連通した状態にし、気圧センサ１５により左側空気袋３内の気圧を検知（Ｓ５０２）してマイコン１３内のメモリに記憶させる（Ｓ５０３）。次に、左右選択用三方空気制御弁２２を右側空気袋４に連通する状態に切換えて（Ｓ５０４）、右側空気袋４と気圧センサ１５が連通した状態にし、気圧センサ１５により右側空気袋４内の気圧を検知（Ｓ５０５）してマイコン１３内のメモリに記憶させる（Ｓ５０６）。そして、圧力検知回路１６が記憶している左側空
気袋３と右側空気袋４内の気圧をマイコン１３が比較（Ｓ５０７）することにより、枕部１上の就寝者の頭Ｈは、圧力値の高い方の空気袋側に寄っていると判断（Ｓ５０８）する（図６参照）。
【００３７】
頭位置判定（Ｓ５０）において頭Ｈが載っていると判断された側の空気袋に左右選択用三方空気制御弁２２を連通させた（Ｓ６０）後、いびき抑制動作（Ｓ７０）を行う。この時、例えば、頭Ｈが左側空気袋３上にあると判断された場合、左右選択用三方空気制御弁２２を動作させて左側空気袋３に連通させる。次に、給排気切換用三方空気制御弁２１を空気ポンプ２０に連通する位置にした後（Ｓ７０１）、空気ポンプ２０を作動（Ｓ７０２）させて左側空気袋３に給気を行う。左側空気袋３への給気が所定時間経過（Ｓ７０３）すれば空気ポンプ２０を停止させる（Ｓ７０４）。次に、左側空気袋３の膨張状態を所定時間保持する（Ｓ７０５）。左側空気袋３の膨張状態を所定時間保持（Ｓ７０５）することにより、就寝者の頭Ｈを右側に向かせ右向きの横臥状態への寝返りを促して就寝者のいびき低減を促進させる（図１３参照）。
【００３８】
左側空気袋３の膨張状態保持時間が所定時間経過すると、給排気切換用三方空気制御弁２１を排気の位置（Ｓ７０６）にして左側空気袋３内の空気を排気させる。左側空気袋３内の排気が所定時間経過（Ｓ７０７）すると一連のいびき抑制動作（Ｓ７０）を終了させる（図７、図１４参照）。
【００３９】
また、図７のＳ７０６の左側空気袋３の膨張状態保持状態時においてもいびき検知を行い、いびき音が低減していることをいびきセンサ８が検知した時点で、左側空気袋３の排気動作を行うようにしてもよい。いびき抑制動作（Ｓ７０）における、空気袋の給気時間、膨張状態の保持時間、排気時間については、予めマイコン１３に記憶させている既定値に基づいて制御を行う。また、使用者が操作部１８を介して適宜変更できるようにしてもよい。
【００４０】
追加給気（Ｓ８０）では、いびき抑制動作（Ｓ７０）が終了した後、排気の位置になっている給排気切換用三方空気制御弁２１を給気の位置に切換え（Ｓ８０１）空気ポンプ２０を作動（Ｓ８０２）させて、いびき抑制動作（Ｓ７０）を行った側の空気袋に給気を行う。空気ポンプ２０の作動から所定時間経過（Ｓ８０３）すると空気ポンプ２０を停止させる（Ｓ８０４）。これにより、予備給気（Ｓ１０）後と同様に、左側空気袋３と右側空気袋４内には適度な内圧が発生している状態となり、次回の頭位置判定（Ｓ５０）動作の準備が完了する（図８、図１２参照）。追加給気（Ｓ８０）が終了すれば、運転タイマの終了判定（Ｓ３０）に戻って処理ループを繰り返す（図４参照）。
【００４１】
また、図７のＳ７０６において、左側空気袋３内の排気を行う際、左側空気袋３上に就寝者の頭Ｈが位置している場合には、頭Ｈの荷重により左側空気袋３が押されて左側空気袋３内の空気は略全量排気されるが、左側空気袋３上に就寝者の頭Ｈが位置していない場合には、左側空気袋３内に空気が残留してしまう虞がある。従って、図４における追加給気（Ｓ８０）の給気量は、この点を下記に示すように考慮する必要がある。
【００４２】
図９には、空気袋内の空気量と内圧との関係を示している。図中、上側の実線は空気袋上に頭Ｈが載っている場合を示し、下側の実線は空気袋上に頭Ｈが載っていない場合を示している。例えば、空気袋内の空気量をＡ１とし、この時、空気袋上に頭Ｈが載っている時の空気袋の内圧をＰ１とした場合、空気袋上に頭Ｈが載っていない場合の空気袋の内圧をＰ１とするためには、空気袋内の空気量をＡ２とする必要がある。
【００４３】
このようにして求まるＡ１に対するＡ２の関係を図１０に点線で示す。この点線よりも下側の領域は、頭Ｈが載っていない側の空気袋の内圧よりも頭Ｈが載っている側の空気袋
の内圧が高くなり、頭位置判断が正しくできる領域である。点線よりも上側の横ハッチングの領域は、頭Ｈが載っている側の空気袋の内圧よりも頭Ｈが載っていない側の空気袋の内圧が高くなり、頭位置判断が正しくできない領域である。
【００４４】
実線は追加給気を行う空気袋内の残留空気量がゼロの場合を示している。しかしながら、
いびき抑制動作における排気終了後に、空気袋内に空気が残留する虞があるため、空気袋内に残留する空気量を考慮した時の膨張した空気袋内の空気量の変動範囲は、縦ハッチングの領域となる。（例えば、残留空気量が０〜５００ｍＬの範囲で変動する可能性がある場合に、１０００ｍＬの追加給気を行ったとすると、空気袋内の空気量は１０００〜１５００ｍＬとなる。）
縦ハッチングの領域が点線よりも下側になる領域、即ち、空気袋への追加空気量がＸ〜Ｙの範囲であれば、頭位置判定を正しく行うことができる。このＸとＹの値は予め実験等に基づいて設定しマイコン１３に記憶させておけばよい。
【００４５】
いびきセンサ８によりいびきの発生が検知されると、左側空気袋３と右側空気袋４内の気圧を気圧センサ１５により検知し、マイコン１３により気圧の高い方の空気袋、即ち、就寝者の頭Ｈが載っている側の空気袋を判断していびき抑制動作を行うため、就寝している人のいびきが発生した際には、速やかにいびきの抑制動作を行うことができ、同室に就寝している他者の睡眠を妨げてしまうことを防止することができる。
【００４６】
本装置の使用開始後には、左側空気袋３と右側空気袋４内には夫々所定量の空気が供給されているため、就寝者のいびきが発生した際には就寝者の頭Ｈが載っている側の空気袋を速やかに検知することができる。
【００４７】
一般によく使用される重量センサは固体の接触による押圧を検知する感圧部面積が狭いため、図４の頭位置判定（Ｓ５０）において、本実施形態のように伸縮性を有する下部スポンジ５と上部スポンジ６で覆われている枕部１に重量センサを用いた場合には、感圧部に沿って下部スポンジ５や上部スポンジ６が変形し、頭Ｈの荷重による圧力が感圧部に充分伝わらず誤検知する虞がある。また、重量センサは左側空気袋３と右側空気袋４に夫々対応するために少なくとも２個必要とし、コストがアップすると共に、構成が複雑化する虞がある。
【００４８】
これに対して、本実施の形態は、頭位置判定に空気袋内の気圧を気圧センサ１５により検知する構成にしているため、下部スポンジ５と上部スポンジ６で覆われている枕部１においても正確に頭位置判定を行うことができる。また、１つの気圧センサ１５を左右の空気袋内に選択的に連通させることにより、左側空気袋３と右側空気袋４の気圧を検知することができるため、気圧センサ１５を共用して構成を簡素化することができる。
【００４９】
いびきセンサ８が就寝者のいびきの発生を検知した際には、就寝者の頭Ｈが載っていると判断された側の空気袋を膨張させるため、就寝者に横臥姿勢への寝返りを促していびきを低減させることができる。
【００５０】
就寝者の頭Ｈが載っていると判断された側の空気袋を膨張させた状態を所定時間保持させることにより、確実に就寝者に横臥姿勢への寝返りを促していびきを低減させることができる。
【００５１】
気圧が高い方の空気袋内に給気を行った後に所定時間経過するまでに就寝している人のいびきが低減されていることをいびきセンサ８が検知した時、あるいは、所定時間経過した時には、気圧が高い方の空気袋内の空気を排気するため、就寝者の睡眠を妨げることを
抑制することができる。
【００５２】
気圧が高い方の空気袋内の空気を排気した後、その空気袋内に再び給気を行い左右一対の空気袋内の空気の圧力を略同一にするため、速やかに次回のいびき抑制動作を行うことができる。
【００５３】
気圧が高い方の空気袋内の空気を大気に連通させることにより空気袋内外の気圧差により空気袋内の空気を大気中に排気させる構成にした場合には、その空気袋内に再び給気する空気量は予備給気量とは異なる空気量とすることにより、就寝者の頭Ｈが載っていない側の空気袋内の気圧が、頭Ｈが載っている側の空気袋内の気圧より高くなることによる就寝者の頭位置判定の誤検出を防止することができる。
【００５４】
尚、本発明の実施形態では、いびき抑制動作（Ｓ７０）において空気袋を膨張させた状態を保持している間に就寝者のいびきが低減されなかった場合でも、所定時間が経過すると空気袋から空気を排気していびき抑制動作（Ｓ７０）を終了させているのは、長時間空気袋を膨張させ続けることによる就寝者の睡眠を妨げることを防止するためである。一度いびき抑制動作（Ｓ７０）を行っても就寝者のいびきが継続している場合には、処理ループを繰り返す毎にいびき抑制動作（Ｓ７０）が行われる。
【００５５】
また、本発明の実施形態では、給排気切換及び左右空気袋選択用に三方弁を用いたが、この構成に限定されるものではない。ニ方弁や四方弁等のその他の多方弁を用いてもよい。
【図面の簡単な説明】
【００５６】
【図１】本発明を実施するためのいびき抑制装置の回路図である。
【図２】同いびき抑制装置の枕部の分解斜視図である。
【図３】同いびき抑制装置の枕部の斜視図である。
【図４】同いびき抑制装置の動作を説明するフローチャートである。
【図５】同いびき抑制装置の動作の予備給気について説明するフローチャートである。
【図６】同いびき抑制装置の動作の頭部位置判断について説明するフローチャートである。
【図７】同いびき抑制装置の動作のいびき抑制動作について説明するフローチャートである。
【図８】同いびき抑制装置の動作の追加給気について説明するフローチャートである。
【図９】追加給気量の決め方の説明図。
【図１０】追加給気量の決め方の説明図。
【図１１】同いびき抑制装置に使用者が寝ている状態の側面図で、いびき抑制装置の初期状態を示す。
【図１２】同いびき抑制装置に使用者が寝ている状態の側面図で、いびき抑制装置の予備給気状態あるいは追加給気状態を示す。
【図１３】同いびき抑制装置に使用者が寝ている状態の側面図で、いびき抑制動作状態を示す。
【図１４】同いびき抑制装置に使用者が寝ている状態の側面図で、いびき抑制動作の終了状態を示す。
【符号の説明】
【００５７】
１    枕部
２    制御部
３    左側空気袋
４    右側空気袋
８    いびきセンサ
１５  気圧センサ
２０  空気ポンプ（給気手段）
【図１】
2005261682.tif 000003
【図２】
2005261682.tif 000004
【図３】
2005261682.tif 000005
【図４】
2005261682.tif 000006
【図５】
2005261682.tif 000007
【図６】
2005261682.tif 000008
【図７】
2005261682.tif 000009
【図８】
2005261682.tif 000010
【図９】
2005261682.tif 000011
【図１０】
2005261682.tif 000012
【図１１】
2005261682.tif 000013
【図１２】
2005261682.tif 000014
【図１３】
2005261682.tif 000015
【図１４】
2005261682.tif 000016